(57)【要約】【課題】ブリケッティングロール方式のガスハイドレートペレット製造装置において、ロールの長手方向にガスハイドレートを均一に供給する。【解決手段】ロール１の長手方向へのガスハイドレート１３の供給手段を、複数のスクリュー４を有する縦型スクリューコンベア３と、それに接続する横型スクリューコンベア８から構成し、複数のスクリュー４をロール１方向に投影してなる投影部が互いに重なり合うようにする。【選択図】図１
2007262143.tif 000002
【特許請求の範囲】
【請求項１】
外周面に複数の成形型をもつ回転する一対のロールと、前記一対のロール間へのガスハイドレートの供給手段を備え、
前記供給されたガスハイドレートを前記成形型内で圧縮成形してペレットを製造するガスハイドレートペレット製造装置において、
前記ガスハイドレートの供給手段は、
前記一対のロールの長手方向に順に配置された複数のスクリューを有する縦型スクリューコンベアと、
前記縦型スクリューコンベアに接続する横型スクリューコンベアとからなり、
前記複数のスクリューを前記一対のロール方向に投影してなる投影部が互いに重なり合うことを特徴とするガスハイドレートペレット製造装置。
【発明の詳細な説明】
【技術分野】
【０００１】
本発明は、ガスハイドレートを圧縮成形してペレット状の成形物を製造するガスハイドレートペレット製造装置に関する。
【背景技術】
【０００２】
天然ガス等（以下、「原料ガス」という。）の原料ガスを水と接触反応させて固体状態の水和物としたガスハイドレートにおいては、輸送及び貯蔵時のハンドリング性を向上させるために、圧縮成形してペレット状の成形物（以下、「ペレット」という。）に加工することが行われている。
【０００３】
このペレットの製造には、いわゆるブリケッティングロール方式のガスハイドレートペレット製造装置が用いられている。
【０００４】
この製造装置は外周面に複数のポケットを有する金属製の一対のロールを回転させ、それらのロール間にホッパとスクリューフィーダーにより連続的にガスハイドレートを供給し、ポケット内で圧縮成形することによりペレットを製造するものである。（例えば、特許文献１を参照。）。
【０００５】
このようなガスハイドレートペレット製造装置において品質の均一なペレットを連続的に製造するためには、ロールの長手方向にガスハイドレートを均一に供給する必要がある。
【０００６】
しかし、ペレットの製造量を増加させるためにロールを長尺化した場合には、従来のホッパとスクリューフィーダーからなる供給方法では均一な供給が非常に困難になるという課題があった
【非特許文献１】ＷＯ２００３／００６５８９号公報
【発明の開示】
【発明が解決しようとする課題】
【０００７】
本発明は、このような課題に鑑みてなされたものであり、ブリケッティングロール方式のガスハイドレートペレット製造装置において、ロールの長手方向にガスハイドレートを均一に供給することを目的とするものである。
【課題を解決するための手段】
【０００８】
上記の目的を達成するため、本発明は、外周面に複数の成形型をもつ回転する一対のロールと、前記一対のロール間へのガスハイドレートの供給手段を備え、前記供給されたガスハイドレートを前記成形型内で圧縮成形してペレットを製造するガスハイドレートペレット製造装置において、前記ガスハイドレートの供給手段は、前記一対のロールの長手方向に順に配置された複数のスクリューを有する縦型スクリューコンベアと、前記縦型スクリューコンベアに接続する横型スクリューコンベアとからなり、前記複数のスクリューを前記一対のロール方向に投影してなる投影部が互いに重なり合うことを特徴とするガスハイドレートペレット製造装置である。
【発明の効果】
【０００９】
本発明によれば、ブリケッティングロール方式のガスハイドレートペレット製造装置において、前記一対のロールの長手方向に順に配置された複数のスクリューを有する縦型スクリューコンベアと、前記縦型スクリューコンベアに接続する横型スクリューコンベアとからガスハイドレートの供給手段を構成して、縦型スクリューコンベアにおけるそれぞれのスクリューを前記一対のロール方向に投影してなる投影部が互いに重なり合うようにしたため、一対のロールの長手方向にガスハイドレートを均一に供給することができる。
【発明を実施するための最良の形態】
【００１０】
以下に、本発明の実施の形態に係るガスハイドレートペレット製造装置について、図面を参照して説明する。
【００１１】
本発明に係るガスハイドレートペレット製造装置を図１〜図３に示す。図１は、ガスハイドレートペレット製造装置の全体構造を示す斜視図である。また、図２及び図３は、それぞれ図１におけるＡ−Ａ矢視及びＢ−Ｂ矢視における断面図である。
【００１２】
ガスハイドレートペレット製造装置は、一対のロールと、そのロール上にガスハイドレートを供給する供給手段である縦型スクリューコンベア及び横型スクリューコンベアから構成される。
【００１３】
一対のロール１は金属からなり、その外周面には成形型であるポケット２が複数形成されている。これらのロール１は、図示しない駆動手段、例えば電動機により、互いに逆方向に回転する。
【００１４】
縦型スクリューコンベア３は、複数の縦型スクリュー４とそれらを外囲する外筒５から構成される。複数の縦型スクリュー４は、ロール１に向けて投影してなる投影部が互いに重なり合う状態で、ロール１の長手方向に順に配置されている。そのため、各縦型スクリュー４は互いに接触することなく同方向に同期して回転するように、ギアボックス６を介して電動機７に接続されている。
【００１５】
なお、縦型スクリュー４の個数は、図面に示す４台に限定されるものではなく、ロール１のサイズや性能により適宜変更され得るものである。
【００１６】
横型スクリューコンベア８は横型スクリュー９とそれを外囲する外筒１０から構成される。横型スクリューコンベア８の一端は、縦型スクリューコンベア３の外筒５に略水平方向から接続している。また、横型スクリューコンベア８の他端部には、ガスハイドレートの補給口１１が設けられている。横型スクリュー９は、外筒１０の外部に設置された電動機１２に接続されている。
【００１７】
このような構成を有するガスハイドレートペレット製造装置の作用を以下に説明する。
補給口１１から横型スクリューコンベア８内に補給されたガスハイドレート１３は、電動機１２により回転する横型スクリュー９により縦型スクリューコンベア３に向けて搬送される。縦型スクリューコンベア３内に補給されたガスハイドレート１３は、電動機７により同期して回転する複数の縦型スクリュー４により下方のロール１に向けて搬送される。そして、互いに逆方向に回転するロール１上へ供給されたガスハイドレート１３は、ポケット２内にくい込まれつつ加圧成形されることによりペレット化される。
【００１８】
このときそれぞれの縦型スクリュー４は、そのロール１への投影部が互いに重なり合うように配置されているので、横型スクリューコンベア８から搬送されたガスハイドレート１３は下方へ搬送される間に水平方向へも移送されて、各縦型スクリュー４に対して均等に分配されるため、ロール１の長手方向におけるガスハイドレート１３の供給が均一になる。
【図面の簡単な説明】
【００１９】
【図１】本発明に係るガスハイドレートペレット製造装置の斜視図である。
【図２】図１に示すＡ−Ａ矢視の断面図である。
【図３】図１に示すＢ−Ｂ矢視の断面図である。
【符号の説明】
【００２０】
１  ロール   
２  ポケット 
３  縦型スクリューコンベア
４  縦型スクリュー  
５  外筒     
６  ギアボックス
７  電動機
８  横型スクリューコンベア
９  横型スクリュー
１０  外筒
１１  補給口
１２  電動機
１３  ガスハイドレート
【図１】
2007262143.tif 000003
【図２】
2007262143.tif 000004
【図３】
2007262143.tif 000005